(57)【要約】患者を位置決めするための患者支持装置は、互いに接続された支持フレーム１および椅子２を備え、椅子２は、互いに接続された腰掛け部分３および背もたれ部分４を備える。背もたれ部分４は、腰掛け部分３から上方へ延びている。背もたれ部分４は、２つの反対端である第１端部５および第２端部６をさらに備え、背もたれ部分４は第２端部６で腰掛け部分３に接続される。背もたれ部分４の第１端部５は水平軸Ａを決定する。椅子２が軸Ａの周りに回転するように配置されるように、背もたれ部分４の第１端部５は、回転機構７によってフレーム１に枢着される。【選択図】図１
2020507391.tif 000002
【特許請求の範囲】
【請求項１】
患者の頭部が実質的に同じ位置にとどまったまま患者を位置決めするための患者支持装置であり、互いに接続された支持フレーム（１）および椅子（２）を備え、
−前記椅子（２）は、互いに接続された腰掛け部分（３）および背もたれ部分（４）を備え、前記背もたれ部分（４）は前記腰掛け部分（３）から上方へ延びていて、
−前記背もたれ部分（４）は、２つの反対端部である第１端部（５）および第２端部（６）をさらに備え、前記背もたれ部分（４）は前記第２端部（６）で前記腰掛け部分（３）に接続され、
−前記背もたれ部分（４）の前記第１端部（５）は水平軸Ａを決定する、
患者支持装置であって、
前記椅子（２）が軸Ａの周りに回転するように配置されるように、前記背もたれ部分（４）の前記第１端部（５）は、回転機構（７）によって前記フレーム（１）に枢着されることを特徴とする、
患者支持装置。
【請求項２】
前記フレーム（１）は、前記腰掛け部分（３）が接続される少なくとも１つの第１ガイドレール（８）を備えることを特徴とする、請求項１に記載の患者支持装置。
【請求項３】
前記背もたれ部分（４）および前記腰掛け部分（３）は、互いに枢着されることを特徴とする、請求項１または２に記載の患者支持装置。
【請求項４】
前記腰掛け部分（３）と水平面との間の角度が変化しないように、前記腰掛け部分（３）は、前記第１ガイドレールまたはレール（８）に沿って線形に移動するように配置されることを特徴とする、請求項２または３に記載の患者支持装置。
【請求項５】
前記フレーム（１）は、前記回転機構（７）が接続される第２ガイドレール（９）を備えることを特徴とする、請求項１〜４のいずれか１項に記載の患者支持装置。
【請求項６】
前記回転機構（７）は、前記第２ガイドレール（９）に沿って線形に移動するように配置されることを特徴とする、請求項５に記載の患者支持装置。
【請求項７】
前記装置は、軸Ａの周りに前記椅子を回転させるように配置される液圧伝達システム（１０）を備えることを特徴とする、請求項１〜６のいずれか１項に記載の患者支持装置。
【請求項８】
前記液圧伝達システム（１０）は手動操作であることを特徴とする、請求項７に記載の患者支持装置。
【請求項９】
前記液圧伝達システム（１０）は、流体として水を使用するように調整されることを特徴とする、請求項７または８に記載の患者支持装置。
【請求項１０】
前記液圧伝達システム（１０）は前記腰掛け部分（３）に接続していることを特徴とする、請求項７〜９のいずれか１項に記載の患者支持装置。
【請求項１１】
請求項１〜１０のいずれか１項に記載の患者支持装置を用いて患者の位置決めを調整する方法であって、
前記椅子（２）傾斜は、前記水平軸Ａの周りに前記椅子を回転させることによって調整されることを特徴とし、
それにより、前記椅子が傾けられるときに、患者の頭部が実質的に同じ位置にとどまる、患者の位置決めを調整する方法。
【請求項１２】
前記椅子（２）が液圧で調整されることを特徴とする、請求項１１に記載の患者の位置決めを調整する方法。
【請求項１３】
前記調整が手動でなされることを特徴とする、請求項１１または１２に記載の患者の位置決めを調整する方法。
【請求項１４】
患者が処置のために配置された後に、前記傾斜が調整されることを特徴とする、請求項１１〜１３のいずれか１項に記載の患者の位置決めを調整する方法。
【請求項１５】
前記背もたれ部分（４）だけが傾けられることを特徴とする、請求項１１〜１４のいずれか１項に記載の患者の位置決めを調整する方法。
【発明の詳細な説明】
【技術分野】
【０００１】
本発明は、患者を支持して位置決めするための装置に、および患者の位置決めを調整するための方法に関する。
【背景技術】
【０００２】
多くの医療処置は、患者にとって不快であり、長い時間にわたって患者が静止を保つことを必要とする。したがって、医療的椅子またはベッドのような支持装置を調整することによって、患者が不必要な移動を最小化するために楽な姿勢で置かれうることは重要である。また、いくらかの医療処置（すなわち磁界イメージング）は、信頼性の高い測定を確実にするために処置の全体にわたって患者がその位置を保つことを必要とする。
【０００３】
現在の患者支持装置は、可動フレーム構造に取り付けられる椅子を含む。通常、椅子は、患者の体重を支持するための水平腰掛け部分、および患者の背中を支持する背もたれ部分を含む。これらの部分は継手構造によって互いに接続されて、背もたれ部分は、継手構造の周りに背もたれ部分を回転させることによって傾けられることができる。例えば、脳画像は、走査プロセスの間、患者の頭部が静止していることが必要である。この現在の患者支持装置では、患者は最初に位置決めされて、椅子が調整される。次いで、患者はその頭を画像形成装置のヘルメット内にスライドさせる。患者の位置が快適でない場合、患者はその頭をヘルメットから外へスライドさせることを必要として、椅子は再び調整されることを必要とする。再適応した後に、患者はその頭をヘルメット内にスライドさせる。これは、必要に応じて何回も行われて、多くの時間がかかってよい。
【発明の概要】
【発明が解決しようとする課題】
【０００４】
本発明の目的は、上述の不利点を軽減することである。
【０００５】
特に、患者の頭部が実質的に静止を保つ一方で、患者の位置が調整されてよい患者支持装置を提供することは、本発明の目的である。
【課題を解決するための手段】
【０００６】
第１態様によれば、本発明は、互いに接続された支持フレームおよび椅子を含む、患者を位置決めするための患者支持装置を提供する。椅子は、互いに接続された腰掛け部分および背もたれ部分を含み、背もたれ部分は、腰掛け部分から上方へ延びている。背もたれ部分は、２つの反対端、第１端部および第２端部をさらに含み、背もたれ部分は第２端部で腰掛け部分に接続される。背もたれ部分の第１端部は水平軸Ａを決定する。椅子が軸Ａの周りに回転するように調整されるように、背もたれ部分の第１端部は、回転機構によってフレームに枢着される。回転機構は、１つジョイントまたは複数のジョイント、車輪、ロール、ピンその他を含んでよい。
【０００７】
本発明の実施形態において、フレームは、腰掛け部分が接続される少なくとも１つの第１ガイドレールを含む。腰掛け部分は、第１ガイドレールまたはレールに配置される、車輪またはロールまたはピンを含んでよい。
【０００８】
本発明の実施形態において、背もたれ部分および腰掛け部分は互いに枢着される。背もたれ部分と腰掛け部分との間の接続は、１つジョイントまたは複数のジョイントを含んでよい。
【０００９】
本発明の実施形態において、腰掛け部分と水平面との間の角度が変化しないように、腰掛け部分は、第１ガイドレールまたはレールに沿って線形に移動するように調整される。
【００１０】
本発明の実施形態において、フレームは、回転機構が接続される第２ガイドレールを含む。回転機構は、ガイドレールに配置されるジョイントまたはヒンジまたは車輪またはピンを含んでよい。
【００１１】
本発明の実施形態において、回転機構は、第２ガイドレールに沿って線形に移動するように調整される。
【００１２】
本発明の実施形態において、装置は、軸Ａの周りに椅子を回転させるように調整される液圧伝達システムを含む。液圧伝達システムは、ポンプ、バルブ、ホースその他を含んでよい。
【００１３】
本発明の実施形態において、液圧伝達システムは、手動操作である。医療装置は、非常に大きくても重くてもよい。処置または手順のための患者を位置決めするときに、システム（電気装置その他）には故障または何らかのエラーの危険が常にあり、患者に損傷を生じさせる場合がある。手動操作システムを用いることにより、ユーザは常に管理状態にあり、反応することが可能である。システムは、液圧伝達システムを制御するように調整されるペダルまたはレバーを含んでよい。
【００１４】
本発明の実施形態において、液圧伝達システムは、流体として水を使用するように調整される。水は、液圧システムが流体の漏出によって滑りまたは他の危険な状況が生じることがありえる重大な状態において使われる安全な作動流体である。
【００１５】
本発明の実施形態において、液圧伝達システムは腰掛け部分に接続される。液圧伝達システムは例えばピストンを含んでよく、ピストンは腰掛け部分に接続されて、ピストンの前後運動はまた、腰掛け部分を前後に調整する。
【００１６】
第２態様によれば、本発明は、先の実施形態のいずれかによる患者支持装置を用いて患者の位置決めを調整する方法を提供する。椅子の傾斜は水平軸Ａの周りに椅子を回転させることによって調整され、それにより、椅子が傾けられるときに、患者の頭部は実質的に同じ位置にとどまる。
【００１７】
本発明の実施形態において、椅子は液圧で調整される。
【００１８】
本発明の実施形態において、調整は手動でなされる。
【００１９】
本発明の実施形態において、患者が処置のために配置された後に、傾斜が調整される。
【００２０】
本発明の実施形態において、背もたれ部分だけが傾けられる。背もたれ部分の傾斜は、好ましくは５〜２０°調整される。
【００２１】
上記の本発明の態様および実施形態が互いにいかなる組合せでも用いられることができることを理解すべきである。態様および実施形態のいくつかは、本発明の別の実施形態を形成するために一緒に組み合せられることができる。
【００２２】
本発明のさらなる理解を提供して、この明細書の一部を構成するために含まれる添付図面は、本発明の実施形態を例示して、説明と共に本発明の原理を説明するのを助ける。
【図面の簡単な説明】
【００２３】
【図１】図１は、椅子の傾斜が各図において異なる、患者支持装置の概略図を示す。
【図２】図２は、椅子の傾斜が各図において異なる、患者支持装置の概略図を示す。
【図３】図３は、椅子の傾斜が各図において異なる、患者支持装置の概略図を示す。
【発明を実施するための形態】
【００２４】
図１は、メイン部、フレーム１および椅子２を備える患者支持装置の側面図を示す。椅子２は、腰掛け部分３および背もたれ部分４を備え、それらは互いに接続している。背もたれ部分４は、背もたれ部分４の上端である第１端部５、および背もたれ部分４の下端である第２端部６を備える。背もたれ部分４は、第２端部６で腰掛け部分３に接続される。通常、腰掛け部分３および背もたれ部分４は、それらが接続ポイントの周りに回転可能であるように、１つのジョイントまたは複数のジョイントによって枢支的に互いに接続している。しかしながら、腰掛け部分３と背もたれ部分４間の接続が堅くてもよいことを理解すべきである。第１端部５は軸Ａを決定し、軸Ａは図１に点として示される。背もたれ部分の傾斜が調整されてよいように、椅子は、この軸Ａの周りを回転するように配置される。
【００２５】
図１において、椅子２はその上部位置にあって、水平面と背もたれ部分４との間の角度は最大である。
【００２６】
図２は、患者支持装置１の側面図を示す。実施形態のこの図において、椅子２は、軸Ａ（図１参照）の周りに反時計回りに回転し、そして椅子３はより傾けられる。図２において、患者支持装置はまた、腰掛け部分３に接続している液圧伝達システム１０を含む。液圧伝達システム１０において、ピストンは、前後に線形に移動して、同時に腰掛け部分３を移動させるように配置される。
【００２７】
図３は、患者支持装置１の側面図を示す。この実施形態において、椅子は、（図１および図２と比較して）軸Ａの周りに反時計回りにさらに回転して、椅子３はさらに傾けられる。図３において、フレーム１は第１ガイドレール８を備え、第１ガイドレール８に腰掛け部分３が接続される。ガイドレールは、腰掛け部分３の下に位置してもよく、またはフレーム１は、例えば腰掛け部分の両側上のいくつかの第１ガイドレール８を備えてよい。この実施形態において、腰掛け部分３が第１ガイドレール８に沿って線形に移動することができるように、腰掛け部分は、第１ガイドレール８に配置される車輪１１を備える。フレーム１はいくつかの第１ガイドレールを含んでよく、第１ガイドレール８の各々は、腰掛け部分３の１つの車輪１１（またはロールまたはピン）を受け入れるように配置される。図３において、ガイドレール８は直線レールとして示されているが、１つまたは複数の第１ガイドレールは、異なる形状を有してよく、例えば曲がっていてもよい。図３はまた、フレーム１の第２ガイドレール９を示す。背もたれ部分４の第１端部５は、回転手段７によって第２ガイドレール９に接続している。この実施形態において、回転手段は、車輪の中心点が軸Ａ上にあるように背もたれ部分４の第１端部５に接続している車輪を備える。その結果、背もたれ部分４は前記軸Ａの周りに回転可能である。これらの車輪は、それらが第２ガイドレール９に沿って移動可能であるように第２ガイドレール９にさらに配置される。
【００２８】
図１〜図３において、椅子２は、腰掛け部分３と水平面との間の角度が変化しないように回転し、腰掛け部分３はガイドレール８に沿って線形に移動する。したがって、回転手段７が第２ガイドレール９に沿って移動するように、背もたれ部分４は少し下方へ移動する。しかしながら、椅子２の回転は、回転手段７および背もたれ部分４が下に移動しないで腰掛け部分３が少し上方へ移動するように配置されてもよい。この種のシナリオでは、異なる形状（例えば曲がった）を有する第１ガイドレールが必要である。
【００２９】
本発明が特定の種類の装置または方法と関連して記載されたが、本発明がいかなる特定の種類の装置にも制限されないことを理解すべきである。本発明が多くの例示的実施形態および実現に関連して記載されたとはいえ、本発明はそれに制限されなくて、むしろ種々の修正および、請求の範囲に入る等価な構成をカバーする。
【図１】
2020507391.tif 000003
【図２】
2020507391.tif 000004
【図３】
2020507391.tif 000005
【国際調査報告】
2020507391.tif 000006
2020507391.tif 000007